(57)【要約】【課題】メインバッテリー除去、電源スイッチオフ、圏外になった期間における携帯通信機器の状況及び携帯する人の状況の収集を可能にする。【解決手段】携帯通信機器１が待受状態において、バッテリー１２が除去されるか又は電源スイッチ２１がオフされた場合は電源供給元がサブバッテリー１３となり、圏外の場合は電源供給元がメインバッテリー１２のままであり、バッテリー１２が除去されるか又は電源スイッチ２１がオフされた場合又は圏外の場合に、測位受信部４で収集した位置情報とマイク５で収集した音声情報とデジタルカメラ９で収集した画像情報と各種センサー１１で収集した各種情報とが収集情報として不揮発性メモリー１０に書き込まれる。そして、監視端末機器３７が不揮発性メモリー１０から収集情報を読み出すことにより、メインバッテリー除去、電源スイッチオフ、圏外になった期間の状況が適切に把握できる。【選択図】図１
2011259088.tif 000002
【特許請求の範囲】
【請求項１】
携帯容器に、メインバッテリーと、サブバッテリーと、不揮発性メモリーと、状況情報を検出するセンサーと、メインバッテリーへの充電時にサブバッテリーにも充電を行う充電回路と、メインバッテリーからの電力で無線基地局を利用した無線通信を行う無線送受信部と、メインバッテリーからの電力で無線基地局を捕捉できない圏外又は携帯通信機器の電源スイッチがオフ又はメインバッテリーが除去されたかを検出する検出手段と、上記圏外の検出では切替信号を出力しないものの電源スイッチがオフ又はメインバッテリーが除去されたに検出に基づき電源切替信号を出力する切替手段と、電源切替信号で電力供給元をメインバッテリーからサブバッテリーに切り替えるスイッチ回路と、メインバッテリー又はサブバッテリーからの電力で期間を計る計測手段と、検出期間が設定値に達するごとにメインバッテリー又はサブバッテリーからの電力でセンサーを作動して収集した収集情報を不揮発性メモリーに記録する収集手段とを備えたことを特徴とする携帯通信機器。
【請求項２】
携帯容器には無線送受信部又は検出手段又は切替手段又はセンサー又は計測手段又は収集手段の何れかを構成する電気部品を実装した回路基板とメインバッテリーを交換可能に収容する開閉可能な電池収容部とが設けられ、サブバッテリーが電池収容部に収容されたメインバッテリーと回路基板と携帯容器とで囲まれる空間に設けられたことを特徴とする請求項１記載の携帯通信機器。
【請求項３】
携帯容器には不揮発性メモリーから収集情報を読み出す外部端子が設けられたことを特徴とする請求項１記載の携帯通信機器。
【請求項４】
不揮発性メモリーが携帯容器に着脱可能に設けられたことを特徴とする請求項１記載の携帯通信機器。
【請求項５】
請求項１記載の携帯通信機器と通信可能な無線基地局の通信網に接続されてテレメトリングを構成する監視端末機器の操作により上記携帯通信機器から収集情報を読み出すことを特徴とする情報管理装置。
【発明の詳細な説明】
【技術分野】
【０００１】
本発明は、メインバッテリー除去、電源スイッチオフ、圏外になった期間における携帯通信機器の状況及び携帯する人の状況を収集することができる携帯通信機器および当該携帯通信機器から収集情報を読み出す情報管理装置に関する。以下の説明において、メインバッテリー除去とはメインバッテリーが携帯通信機器から除去された状態又はメインバッテリーの電極が携帯通信機器の電極から外れた状態の何れかである。電源スイッチオフとは携帯通信機器の電源スイッチがオフになった状態であってメインバッテリーの電力でカレンダーやタイマーの動作を維持する以外の電力消費の伴う動作ができない状態である。圏外とは携帯通信機器が通信契約の結ばれた通信事業者の所有する無線基地局からの電波をメインバッテリーからの電力により適切な受信感度で受信できない状態である。
【背景技術】
【０００２】
図９は、特許文献１で開示された位置管理装置を示す。図９において、携帯通信機器６１は、携帯電話機のような移動端末機器であって、無線基地局６２を利用した無線通信を行う無線送受信部６３と、測位衛星６４からの測位信号を受信して携帯通信機器６１の位置情報を作成する測位受信部６５とを備える。通信網６６には、無線基地局６２と管理センター６７と宅内管理機６８とが接続される。この位置管理装置の位置管理処理について、図１０を参照して説明する。ステップ２０１では、家人が宅内管理機６８を操作して特定の携帯通信機器６１に対する位置情報の配信を要求すると、宅内管理機６８が管理センター６７を電話番号で呼び出して特定の携帯通信機器６１に対する位置情報の配信を管理センター６７に要求する。ステップ２０２では、管理センター６７が特定の携帯通信機器６１を電話番号で呼び出す。ステップ２０３では、特定の携帯通信機器６１の測位受信部６５が測位衛星６４からの衛星信号を受信して位置情報を作成して管理センター６７に送信する。ステップ２０４では、管理センター６７が位置情報を地図上に示した地図情報を宅内管理機６８に送信する。ステップ２０５では、宅内管理機６８が地図情報をテレビに表示する。従って、家人は、テレビを見て、特定の携帯通信機器６１を携帯している老人や子供の居場所を知ることができる。しかしながら、図９において、携帯通信機器６１に搭載されたバッテリーからの電力で無線基地局６２を捕捉できない圏外の場合又は携帯通信機器６１の電源スイッチがオフの場合又は携帯通信機器６１からバッテリーが除去された場合には、無線送受信部６３が無線基地局６２との無線通信を行うことができないので、少なくとも携帯通信機器６１が圏外の位置にいる期間、携帯通信機器６１の電源スイッチがオフになっている期間、あるいは携帯通信機器６１からバッテリーが除去されている期間のそれぞれにおいて、老人や子供の行動を知り得ない。よって、上記期間における老人や子供の行動を把握することができないという欠点がある。
【先行技術文献】
【特許文献】
【０００３】
【特許文献１】特開２０００−３５４２６８号公報
【発明の概要】
【発明が解決しようとする課題】
【０００４】
発明が解決しようとする課題は、メインバッテリー除去又は電源スイッチオフ又は圏外になった期間における情報を収集することができないという点である。
【課題を解決するための手段】
【０００５】
本発明に係る携帯通信機器は、携帯容器に、メインバッテリーと、サブバッテリーと、不揮発性メモリーと、状況情報を検出するセンサーと、メインバッテリーへの充電時にサブバッテリーにも充電を行う充電回路と、メインバッテリーからの電力で無線基地局を利用した無線通信を行う無線送受信部と、メインバッテリーからの電力で無線基地局を捕捉できない圏外又は携帯通信機器の電源スイッチがオフ又はメインバッテリーが除去されたかを検出する検出手段と、上記圏外の検出では切替信号を出力しないものの電源スイッチがオフ又はメインバッテリーが除去されたことの検出に基づき電源切替信号を出力する切替手段と、電源切替信号で電力供給元をメインバッテリーからサブバッテリーに切り替えるスイッチ回路と、メインバッテリー又はサブバッテリーからの電力で期間を計る計測手段と、期間が設定値に達するごとにメインバッテリー又はサブバッテリーからの電力でセンサーを作動して収集した収集情報を不揮発性メモリーに記録する収集手段とを備えたことを特徴とする。また、本発明に係る携帯通信機器は、携帯容器に無線送受信部又は検出手段又は切替手段又はセンサー又は計測手段又は収集手段の何れかを構成する電気部品を実装した回路基板とメインバッテリーを交換可能に収容する開閉可能な電池収容部とが設けられ、サブバッテリーが電池収容部に収容されたメインバッテリーと回路基板と携帯容器とで囲まれる空間に設けられてもよい。また、本発明に係る携帯通信機器は、携帯容器に不揮発性メモリーから収集情報を読み出す外部端子が設けられてもよい。さらに、本発明に係る携帯通信機器は、不揮発性メモリーが携帯容器に着脱可能に設けられてもよい。本発明に係る情報管理装置は、上記携帯通信機器と通信可能な無線基地局の通信網に接続されてテレメトリングを構成する監視端末機器の操作により上記携帯通信機器の不揮発性メモリーから収集情報を読み出すことを特徴とする。
【発明の効果】
【０００６】
本発明に係る携帯通信機器は、携帯通信機器からメインバッテリーが除去されている期間又は携帯通信機器の電源スイッチがオフになっている期間はサブバッテリーから供給される電力によりセンサーで状況情報を収集し、メインバッテリーからの電力で無線基地局を良好な感度で受信できない圏外にいる期間はメインバッテリーから供給される電力によりセンサーで状況情報を収集することができるという利点がある。本発明に係る携帯通信機器において、サブバッテリーが電池収容部に収容されたメインバッテリーと回路基板と携帯容器とで囲まれる空間に設けられれば、サブバッテリーが携帯容器から取り外れにくいという利点がある。本発明に係る携帯通信機器において、携帯容器に不揮発性メモリーから収集情報を読み出す外部端子が設けられるか、又は、不揮発性メモリーが携帯容器に着脱可能に設けられれば、収集情報を容易に読み出すことができるという利点がある。本発明に係る情報管理装置は、遠隔操作で収集情報を読み出すことができるという利点がある。
【図面の簡単な説明】
【０００７】
【図１】実施の形態に係る携帯通信機器を示す模式図。
【図２】実施の形態に係る異常発生時の処理を示すフローチャート。
【図３】実施の形態に係る異常発生時の処理を示すフローチャート。
【図４】実施の形態に係る異常発生時の処理を示すフローチャート。
【図５】実施の形態に係る異常発生時の処理を示すフローチャート。
【図６】実施の形態に係る不揮発性メモリーの収集態様を示す図表。
【図７】実施の形態に係る携帯通信機器の内部を示す断面図。
【図８】実施の形態に係る携帯通信機器を示す分解斜視図。
【図９】従来の位置管理装置を示す模式図。
【図１０】従来の位置管理処理を示すフローチャート。
【発明を実施するための形態】
【０００８】
図１を参照し、実施の形態について説明する。携帯通信機器１は、ＰＨＳ（Personal Handy-phone System）や携帯電話機のような移動端末機器であって、携帯容器２に、無線送受信部３、測位受信部４、マイク５、スピーカー６、キーボード７、ディスプレイ８、デジタルカメラ９、不揮発性メモリー１０、各種センサー１１、メインバッテリー１２、サブバッテリー１３、充電回路１４、スイッチ回路１５、電源端子１６、外部端子１７、制御部１８を備える。無線送受信部３はアンテナ１９を有する。測位受信部４はアンテナ２０を有する。アンテナ１９；２０は携帯容器２の内部にあってもよいし外部に露出してもよい。測位受信部４とマイク５とデジタルカメラ９と各種センサー１１とが状況情報を収集するセンサーを構成する。
【０００９】
無線送受信部３は、メインバッテリー１２からの電力で無線基地局３４と無線通信を行うものであって、次の３つの構成が考えられる。その１つは通話機能だけを備えた構成、もう１つはデータ通信機能だけを備えた構成、さらなる１つは通話機能とデータ通信機能とを併有した構成である。通話機能は、音声により通話する機能であり、例えば、一方の通話者が「もしもし」という言葉を発するのに対し、他方の通話者が「はいはい」という言葉で応じて会話することができる機能である。データ通信機能は、文字や記号あるいは画像（静止画像、動画像、またはそれら両方の画像）を双方向に送受信する機能である。
【００１０】
測位受信部４は、測位衛星３３からの衛星信号を受信して携帯通信機器１の位置情報を作成するものであって、携帯通信機器１の位置情報としての「緯度」及び「経度」を検出するＧＰＳセンサーを構成する。マイク５は音声や音を集音して電気信号に変換して出力する機器である。スピーカー６は電気信号を音声や音に変換して出力する機器である。キーボード７は制御部１８の入力機器を構成する多数のキーを備える。多数のキーとしては、置数キー、電源スイッチ２１、発信スイッチ、ファンクションキーなどである。ディスプレイ８は制御部１８の出力情報を可視化するための出力機器を構成する。
【００１１】
デジタルカメラ９は撮影した画像（静止画像、動画像またはそれら両方の画像）を制御部１８へ入力するための機器を構成する。デジタルカメラ９は静止画像だけを撮るデジタルカメラでもよいし、動画像だけを撮るデジタルカメラでもよいし、静止画像と動画像との両方の組み合わされた画像を撮るデジタルカメラでもよい。デジタルカメラ９が静止画像だけを撮るデジタルカメラで構成されれば、それ以外のデジタルカメラに比べて電力消費とメモリー容量の使用量とを軽減することができる。メインバッテリー１２は携帯通信機器１の各電気部品に直流の電力を供給するバッテリーである。サブバッテリー１３はバッテリー除去又は電源スイッチオフの期間にわたりメインバッテリー１２に代わって携帯通信機器１の各電気部品に直流の電力を供給するバッテリーである。
【００１２】
充電回路１４はメインバッテリー１２への充電時にサブバッテリー１３にも充電を行う回路である。例えば、図外の給電線が商用電源と携帯通信機器１の電源端子１６とに接続され、交流の電力が商用電源から給電線および電源端子１６を経由して充電回路１４に供給されると、充電回路１４が供給された交流の電力を携帯通信機器１に使用する電圧の直流の電力に変換し、その直流の電力を充電回路１４がメインバッテリー１２およびサブバッテリー１３に供給して充電させる。
【００１３】
スイッチ回路１５は切替手段２７からの電源切替信号で電力供給元をメインバッテリー１２からサブバッテリー１３に切り替える回路である。このスイッチ回路１５の切り替え動作によりサブバッテリー１３から制御部１８に直流の電力が供給される。このスイッチ回路１５の切り替え動作に際しては制御部１８への直流の電力の供給が一瞬でも遮断されると制御部１８の処理がその遮断された時点で中断してしまうので、そのような現象が起こらないように、例えば、メインバッテリー１２からサブバッテリー１３への切り替え期間中は携帯通信機器１に設けられた図外のコンデンサーから制御部１８に直流の電力を供給するか、又はサブバッテリー１３から制御部１８へ直流の電力を供給した後にメインバッテリー１２からの制御部１８へ直流の電力の供給を遮断するようにスイッチ回路１５が動作する。
【００１４】
不揮発性メモリー１０は状況情報を記録する記録媒体である。この実施の形態では、測位受信部４で収集した位置情報とマイク５で収集した音声情報とデジタルカメラ９で収集した画像情報と各種センサー１１で収集した各種情報とが状況情報として不揮発性メモリー１０に記録される。各種センサー１１としては例えば温度センサー、高度センサー、気圧センサー、加速度センサーの１つ又は２つ以上のものから構成される。よって、各種センサー１１で検出される各種情報としては、温度センサーで検出される「温度」という情報、高度センサーで検出される「標高」という情報、気圧センサーで検出される「気圧」という情報、加速度センサーで検出される「重力」や「振動回数」及び「傾き」という情報の１つまたは２つ以上のものからなる。
【００１５】
制御部１８は、ＣＰＵ２３、ＲＯＭ２４、ＲＡＭ２５、検出手段２６、切替手段２７、計測手段２８、収集手段２９を備える。制御部１８は、ＣＰＵ２３による制御に基づき、マイク５から入力された音声を送信波に乗せる変調を行って無線送受信部３に出力する一方、無線送受信部３から入力された受信波から音声を取り出す復調を行ってスピーカー６に出力する。ＣＰＵ２３はＲＯＭ２４に格納されたプログラムにしたがいＲＡＭ２５を使用しながら動作して携帯通信機器１の各電気部品の動作を制御するものである。検出手段２６、切替手段２７、計測手段２８、収集手段２９は、ＣＰＵ２３の動作で具現化される。
【００１６】
検出手段２６はメインバッテリー１２の除去又は電源スイッチ２１のオフ又は圏外の何れかを検出するものであって、メインバッテリー１２の除去を検出したときにメインバッテリー除去検出信号を切替手段２７や計測手段２８に出力し、電源スイッチ２１のオフを検出したときに電源スイッチオフ検出信号を切替手段２７や計測手段２８に出力し、圏外に位置することを検出したときに圏外検出信号を計測手段２８に出力する。なお、携帯通信機器１が圏内に位置する場合を圏内にいる或いは単に圏内と記載し、圏外に位置する場合を圏外にいる或いは単に圏外と記載する場合がある。
【００１７】
切替手段２７は検出手段２６からのメインバッテリー除去検出信号又は電源スイッチオフ検出信号の入力に基づき電源切替信号をスイッチ回路１５に出力する。計測手段２８はメインバッテリー１２又はサブバッテリー１３からの電力で期間を計るものであって、第１カウンター３０、第２カウンター３１、第３カウンター３２を備える。第１乃至第３カウンター３０乃至３２は、ＣＰＵ２３の動作に必要なクロック信号を分周した信号に同期したカウント動作を行うものであって、ＣＰＵ２３に付随された図外のタイマーで代替してもよい。
【００１８】
計測手段２８は、メインバッテリー除去検出信号又は電源スイッチオフ検出信号又は圏外検出信号が入力したときに第１カウンター３０を制御し、第１カウンター３０でカウントされた第１カウント値が第１設定値に達したときに第２カウンター３１を制御し、第２カウンター３１でカウントされた第２カウント値が第２設定値に達したときに第３カウンター３２を制御する。第１設定値はメインバッテリー２１の除去又は電源スイッチ２１のオフ又は圏外の期間が短期的か長期的なのかを判定する期間であり、第２設定値は情報を収集する期間であり、第３設定値は状況情報の収集を定期的に開始する期間であり、これらの第１乃至第３設定値はＲＯＭ２４に予め書き込まれている。
【００１９】
収集手段２９は検出手段２６によるメインバッテリー１２の除去又は電源スイッチ２１のオフ又は圏外の検出期間が予め決められた設定値に達するごとに測位受信部４とマイク５とデジタルカメラ９及び各種センサー１１を作動して検出された状況情報を不揮発性メモリー１０に格納する。例えば、収集手段２９は第２カウンター３１のカウント動作の開始に基づき測位受信部４、マイク５、デジタルカメラ９及び各種センサー１１を作動して検出された状況情報をＲＡＭ２５に記憶し、第２カウンター３１のカウント動作の停止に基づき状況情報をＲＡＭ２５から不揮発性メモリー１０に書き込む。
【００２０】
図１に図示した携帯通信機器１以外の機器について説明する。３３は測位衛星であり、携帯通信機器１に対し衛星信号（衛星メッセージ（データ層）、コード（コード層））を送信するものである。測位衛星３３からの衛星信号はアンテナ２０を介して測位受信部４に送信される。３４は無線基地局であり、無線基地局３４に接続されたアンテナ３５と無線送受信部３に接続されたアンテナ１９とを介して無線送受信部３と音声信号やデータ信号の送受信を行うものである。３６は通信網であり、無線基地局３４と監視端末機器３７との間で音声信号やデータ信号の送受信を行うものである。３７は監視端末機器であり、テレメトリングにより携帯通信機器１内の情報を読み出すものである。
【００２１】
図２乃至図５を参照し、メインバッテリー１２の除去又は電源スイッチ２１のオフ又は、圏外が携帯通信機器１に発生した場合の処理について説明する。
【００２２】
図２において、ステップ１０１は待受状態である。ステップ１０２ではメインバッテリー１２が除去されているかどうかを判定する。そして、メインバッテリー１２が装填されていれば、ステップ１０２でＮＯとなり、ステップ１０３に進む。ステップ１０３では電源スイッチ２１がオンかどうかかを判定する。電源スイッチ２１がオンであれば、ステップ１０３でＮＯとなり、ステップ１０４に進む。ステップ１０４では圏外にいるかどうかを判定する。圏内にいれば、ステップ１０４でＮＯとなり、ステップ１０１に戻る。つまり、メインバッテリー１２が装填され、電源スイッチ２１がオンであり、圏内にいるという３つの条件が成立すると、図２のステップ１０１の待受状態に戻る。
【００２３】
一方、ステップ１０２において、メインバッテリー１２が除去されていれば、ステップ１０２でＹＥＳとなり、ステップ１０５に進む。ステップ１０５ではサブバッテリー１３を起動し、ステップ１０７に進む。また、メインバッテリー１２が装填されていれば、ステップ１０３に進む。そして、ステップ１０３において、電源スイッチ２１がオフであれば、ステップ１０３でＹＥＳとなり、ステップ１０６に進む。ステップ１０６では、メインバッテリー１２は除去されていないが、電源スイッチ２１がオフなので、サブバッテリー１３を起動しメインバッテリー１２を停止する。そして、ステップ１０７に進む。また、ステップ１０２でメインバッテリー１２が装填されていると判定し（つまり、ＮＯと判定）、ステップ１０３に進んで電源スイッチ２１がオンであると判定すると（つまり、ＮＯと判定）、ステップ１０４に進んで携帯通信機器１が圏外にいるかどうかを判定する。そして、ステップ１０４で圏外にいると判定すると（つまり、ＹＥＳと判定）、ステップ１０７に進む。つまり、メインバッテリー１２が除去されるとサブバッテリー１３を起動し、メインバッテリー１２が装填されていても電源スイッチ２１がオフであると、サブバッテリー１３を起動し、メインバッテリー１２を停止し、メインバッテリー１２が除去又は電源スイッチ２１がオフ又は圏外が発生すると、ステップ１０７では第１カウンター３０を作動する。これにより第１カウンター３０がカウント動作を実行する。
【００２４】
図２のステップ１０２乃至ステップ１０７の処理と図１の構成要素との関係について説明すると、図２のステップ１０２乃至１０４の処理は図１に示す検出手段２６が行い、図２のステップ１０５およびステップ１０６の処理は図１の切替手段２７が行い、図２のステップ１０７の処理は図１の計測手段２８が行う。図２のステップ１０７の次は図３のステップ１０８に進む。
【００２５】
図３は待受状態から発生したメインバッテリー１２の除去又は電源スイッチ２１のオフ又は圏外が短期間に復旧した場合と長期間継続した場合との処理を示す。復旧とは、メインバッテリー１２が除去から装填に戻った状態、電源スイッチ２１がオフからオンに戻った状態、携帯通信機器１が圏外から圏内に戻った状態である。図３において、ステップ１０８では第１カウンター３０の第１カウント値が第１設定値、例えば１０分に達したかどうかを判定する。第１カウント値が第１設定値に達していなければ、ステップ１０８でＮＯとなり、ステップ１０９に進む。ステップ１０９ではメインバッテリー１２が装填されているかどうかを判定する。メインバッテリー１２が除去されていれば、ステップ１０９でＮＯとなり、ステップ１０８に戻る。一方、ステップ１０９の判定でメインバッテリー１２が装填されていれば、ステップ１０９でＹＥＳとなり、ステップ１１０に進む。ステップ１１０では電源スイッチ２１がオンかどうかを判定する。電源スイッチ２１がオフであれば、ステップ１１０でＮＯとなり、ステップ１０８に戻る。他方、ステップ１１０の判定で電源スイッチ２１がオンであれば、ステップ１１０でＹＥＳとなり、ステップ１１１に進む。
【００２６】
ステップ１１１ではメインバッテリー１２を起動し、サブバッテリー１３を停止し、ステップ１１２に進む。ステップ１１２では圏内にいるかどうかを判定する。圏外にいれば、ステップ１１２でＮＯとなり、ステップ１０８に戻る。また、ステップ１１２の判定で圏内にいれば、ステップ１１２がＹＥＳとなり、ステップ１１３に進む。ステップ１１３では第１カウンター３０のカウント動作を停止し、第１カウンター３０のカウント値を初期化して「ゼロ」に戻し、図２のステップ１０１の待受状態に戻る。つまり、待受状態から発生したメインバッテリー１２の除去又は電源スイッチ２１のオフ又は圏外が第１設定値に達しない短期間に復旧すると（ステップ１０８がＮＯ、ステップ１０９がＹＥＳ、ステップ１１０がＹＥＳ、ステップ１１２がＹＥＳ）、第１カウンター３０によるカウント動作を停止し、第１カウンター３０のカウント値を初期化して「ゼロ」に戻し、待受状態に戻る。
【００２７】
ステップ１０８での判定で第１カウンター３０のカウント値が第１設定値に達した場合、ステップ１０８でＹＥＳとなり、ステップ１１４に進む。つまり、待受状態から発生したメインバッテリー１２の除去又は電源スイッチ２１のオフ又は圏外が第１設定値に達した長期間継続すると（ステップ１０８がＹＥＳ）、ステップ１１４では、第１カウンター３０によるカウント動作を停止して第１カウンター３０のカウント値を初期化して「ゼロ」に戻す。そして、第２カウンター３１のカウント動作を開始すると共に測位受信部４とマイク５とデジタルカメラ９および各種センサー１１を作動させる。
【００２８】
図３のステップ１０８乃至ステップ１１４の処理と図１の構成要素との関係について説明すると、図３のステップ１０８とステップ１１３との処理は図１の計測手段２８が行い、図３のステップ１０９とステップ１１０とステップ１１２との処理は図１の検出手段２６が行い、図３のステップ１１１の処理は図１の切替手段２７が行い、図３のステップ１１４の処理は図１の計測手段２８と収集手段２９とが行う。図３のステップ１１４の次は図４のステップ１１５に進む。
【００２９】
図４は待受状態から発生したメインバッテリー１２の除去又は電源スイッチ２１がオフ又は圏外が長期間継続して状況情報を収集している期間に復旧した場合と復旧しない場合との処理を示す。図４において、ステップ１１５では収集した状況情報をＲＡＭ２５に記録し、ステップ１１６に進む。なお、ステップ１１５で収集した状況情報を収集情報という。ステップ１１６では第２カウンター３１の第２カウント値が第２設定値、例えば５分に達したかどうかを判定する。第２カウンター３１のカウント値が第２設定値に達していなければ、ステップ１１６でＮＯとなり、ステップ１１７に進む。ステップ１１７ではメインバッテリー１２が装填されているかどうかを判定する。そして、メインバッテリー１２が除去されていれば、ステップ１１７でＮＯとなり、ステップ１１５に戻る。ステップ１１７の判定でメインバッテリー１２が装填されていれば、ステップ１１７でＹＥＳとなり、ステップ１１８に進む。
【００３０】
ステップ１１８では電源スイッチ２１がオンかどうかを判定する。電源スイッチ２１がオフであれば、ステップ１１８でＮＯとなり、ステップ１１５に戻る。ステップ１１８の判定で電源スイッチ２１がオンであれば、ステップ１１８でＹＥＳとなり、ステップ１１９に進む。ステップ１１９ではメインバッテリー１２を起動し、サブバッテリー１３を停止し、ステップ１２０に進む。ステップ１２０では圏内にいるかどうかを判定する。圏外にいれば、ステップ１２０でＮＯとなり、ステップ１１５に戻る。ステップ１２０の判定で圏内にいれば、ステップ１２０でＹＥＳとなり、ステップ１２１に進む。つまり、待受状態から発生したメインバッテリー１２の除去又は電源スイッチ２１がオフ又は圏外が長期間継続して状況情報を収集している期間に復旧すると（ステップ１１６がＮＯ、ステップ１１７がＹＥＳ、ステップ１１８がＹＥＳ、ステップ１２０がＹＥＳ）、ステップ１２１では第２カウンター３１のカウント動作を停止し、第２カウンター３１のカウント値を初期化して「ゼロ」に戻し、測位受信部４とマイク５とデジタルカメラ９および各種センサー１１の動作を停止し、ＲＡＭ２５を初期化し、図２のステップ１０１の待受状態に戻る。
【００３１】
一方、第２カウンター３１のカウント値が第２設定値に達すれば、ステップ１１６でＹＥＳとなり、ステップ１２２に進む。つまり、待受状態から発生したメインバッテリー１２の除去又は電源スイッチ２１がオフ又は圏外が長期間継続して状況情報を収集している期間にメインバッテリー１２の除去又は電源スイッチ２１のオフ又は圏外が復旧しないで継続すると（ステップ１１６がＹＥＳ）、ステップ１２２では、測位受信部４とマイク５とデジタルカメラ９および各種センサー１１を停止し、第２カウンター３１のカウント動作を停止し、第２カウンター３１のカウント値を初期化して「ゼロ」に戻し、ステップ１２３に進む。ステップ１２３では収集情報をＲＡＭ２５から不揮発性メモリー１０に格納し、ＲＡＭ２５を初期化し、ステップ１２４に進む。ステップ１２４では第３カウンター３２のカウント動作を実行する。
【００３２】
図４のステップ１１５乃至ステップ１２４の処理と図１の構成要素との関係について説明すると、図４のステップ１１５とステップ１２３との処理は図１の収集手段２９が行い、図４のステップ１１６とステップ１２４との処理は図１の計測手段２８が行い、図４のステップ１１７とステップ１１８とステップ１２０との処理は図１の検出手段２６が行い、図４のステップ１１９の処理は図１の切替手段２７が行い、図４のステップ１２１とステップ１２２との処理は図１の計測手段２８と収集手段２９とが行う。図４のステップ１２４の次は図５のステップ１２５に進む。
【００３３】
図５は待受状態から発生したメインバッテリー１２の除去又は電源スイッチ２１のオフ又は圏外が長期間継続して状況情報を収集している期間に復旧せずに継続してさらにその次の状況情報の収集を開始するまでの期間に復旧した場合と復旧しない場合との処理を示す。図５において、ステップ１２５では第３カウンター３２のカウント値が第３設定値、例えば２０分に達したかどうかを判定する。第３カウンター３２のカウント値が第３設定値に達していなければ、ステップ１２５でＮＯとなり、ステップ１２６に進む。ステップ１２６ではメインバッテリー１２が装填されているかを判定する。メインバッテリー１２が除去されていれば、ステップ１２６でＮＯとなり、ステップ１２５に戻る。ステップ１２６の判定でメインバッテリー１２が装填されていれば、ステップ１２６でＹＥＳとなり、ステップ１２７に進む。ステップ１２７では電源スイッチ２１がオンかどうかを判定する。電源スイッチ２１がオフであれば、ステップ１２７でＮＯとなり、ステップ１２５に戻る。
【００３４】
ステップ１２７の判定で電源スイッチ２１がオンであれば、ステップ１２７でＹＥＳとなり、ステップ１２８に進む。ステップ１２８ではメインバッテリー１２を起動し、サブバッテリー１３を停止し、ステップ１２９に進む。ステップ１２９では圏内にいるかどうかを判定する。圏外にいれば、ステップ１２９でＮＯとなり、ステップ１２５に戻る。圏内にいれば、ステップ１２９がＹＥＳとなり、ステップ１３０に進む。つまり、待受状態から発生したメインバッテリー１２の除去又は電源スイッチ２１がオフ又は圏外が長期間継続して状況情報を収集している期間に復旧せずに継続してさらにその次の状況情報の収集を開始するまでの期間に復旧すると（ステップ１２５がＮＯ、ステップ１２６がＹＥＳ、ステップ１２７がＹＥＳ、ステップ１２９がＹＥＳ）、ステップ１３０では第３カウンター３２のカウント動作を停止し、第３カウンター３２のカウント値を初期化して「ゼロ」に戻し、図２のステップ１０１の待受状態に戻る。
【００３５】
ステップ１２５の判定で第３カウンター３２の第３カウント値が第３設定値に達すれば、ステップ１２５でＹＥＳとなり、ステップ１３１に進む。ステップ１３１では、第３カウンター３２のカウント動作を停止し、第３カウンター３２のカウント値を初期化して「ゼロ」に戻し、第２カウンター３１のカウント動作を実行し、測位受信部４とマイク５とデジタルカメラ９および各種センサー１１を作動し、図４のステップ１１５の収集情報をＲＡＭ２５に記録する処理に戻る。
【００３６】
図５のステップ１２５乃至ステップ１３１の処理と図１の構成要素との関係について説明すると、図５のステップ１２５とステップ１３０との処理は図１の計測手段２８が行い、図５のステップ１２６とステップ１２７とステップ１２９との処理は図１の検出手段２６が行い、図５のステップ１２８の処理は図１の切替手段２７が行い、図５のステップ１３１の処理は図１の計測手段２８と収集手段２９とが行う。
【００３７】
図１を参照し、図２乃至図５による処理に基づく図１の構成要素の作用について説明する。携帯通信機器１の電源スイッチ２１が人の操作によりオンされ、制御部１８がメインバッテリー１２から供給された直流の電力で動作し、携帯通信機器１が待受状態になっている場合において、メインバッテリー１２が除去された場合又は電源スイッチ２１がオフになった場合が検出手段２６で検出されると、検出手段２６がバッテリー除去検出信号又は電源スイッチオフ検出信号を切替手段２７および計測手段２８に出力する。また、圏外になった場合が検出手段２６で検出されると、検出手段２６が圏外検出信号を計測手段２８に出力する。つまり、メインバッテリー１２が除去された場合又は電源スイッチ１２がオフになった場合は電力の供給元がメインバッテリー１２からサブバッテリー１３に切り替わり、圏外になった場合は電力の供給元がメインバッテリー１２のままである。よって、以下の作用説明において、メインバッテリー１２が除去された場合又は電源スイッチ２１がオフの場合は図１の各構成要素がサブバッテリー１３から供給される直流の電力で動作し、圏外になった場合は図１の各構成要素がメインバッテリー１２から供給される直流の電力で動作するものとする。
【００３８】
よって、メインバッテリー１２が除去された場合又は電源スイッチ１２がオフになった場合は切替手段２７が電源切替信号をスイッチ回路１５に出力し、スイッチ回路１５がメインバッテリー１２からサブバッテリー１３に切り替えられて制御部１８がサブバッテリー１３から供給される直流の電力で動作を継続するが、圏外の場合は切替手段２７によるスイッチ回路１５の切り替えが行われることなく制御部１８がメインバッテリー１２から供給される直流の電力で動作を継続する。そして、計測手段２８が第１カウンター３０を動作させる。これにより、第１カウンター３０がカウント動作を開始する（図２のステップ１０２がＹＥＳの場合、ステップ１０３がＹＥＳの場合、ステップ１０４がＹＥＳの場合を参照）。
【００３９】
そして、第１カウンター３０の第１カウント値が第１設定値に達しておらず、すなわち、第１カウンター３０がカウント中であっても、メインバッテリー１２が装填された場合は検出手段２６がバッテリー除去検出信号の出力を解除し、電源スイッチ２１がオフからオンに戻された場合は検出手段２６が電源スイッチオフ検出信号の出力を解除し、携帯通信機器１が圏外から圏内に位置した場合は検出手段２６が圏外検出信号の出力を解除する。
【００４０】
つまり、第１カウンター３０がカウント中に、メインバッテリー１２が装填された場合又は電源スイッチ１２がオンに戻った場合は切替手段２７が電源切替信号をスイッチ回路１５に出力し、スイッチ回路１５がサブバッテリー１３からメインバッテリー１２に切り替えられて制御部１８がメインバッテリー１２から供給される直流の電力で動作を継続するが、圏内に戻った場合は切替手段２７によるスイッチ回路１５の切り替えが行われることなく制御部１８がメインバッテリー１２から供給される直流の電力で動作を継続する。そして、計測手段２８が第１カウンター３０のカウント動作を停止した後に第１カウント値を初期化して「ゼロ」に戻し、携帯通信機器１が待受状態に戻る（図３のステップ１０８がＮＯ、ステップ１０９がＹＥＳ、ステップ１１０がＹＥＳ、ステップ１１２がＹＥＳの場合を参照）。
【００４１】
そして、図１において、第１カウンター３０の第１カウント値が第１設定値に達したことを計測手段２８が判定すると、計測手段２８が第１カウンター３０のカウント動作を停止した後に第１カウンター３０の第１カウント値を初期化して「ゼロ」に戻して第２カウンター３１のカウントを動作させる、さらに、計測手段２８が第１設定値到達信号を収集手段２９に出力し、収集手段２９が収集開始信号を測位受信部４とマイク５とデジタルカメラ９と各種センサー１１とに出力する。これにより、測位受信部４とマイク５とデジタルカメラ９と各種センサー１１とが状況情報を収集してＲＡＭ２５に記録する（図３のステップ１０８がＹＥＳの場合を参照）。
【００４２】
図１において、例えば、収集情報としては、測位受信部４が取得した「緯度」や「経度」、各種センサー１１としての温度センサーが取得した「温度」、各種センサー１１としての高度センサーが取得した「標高」、各種センサー１１としての気圧センサーが取得した「気圧」、各種センサー１１としての加速度センサーが取得した「重力」や「振動回数」及び「傾き」、マイク５が取得した音声情報、デジタルカメラ９が撮影した画像情報である。
【００４３】
そして、第２カウンター３１の第２カウント値が第２設定値に達していなければ、すなわち、第２カウンター３１がカウント中であっても、メインバッテリー１２が装填された場合は検出手段２６がバッテリー除去検出信号の出力を解除し、電源スイッチ２１がオフからオンに戻された場合は検出手段２６が電源スイッチオフ検出信号の出力を解除し、携帯通信機器１が圏外から圏内に位置した場合は検出手段２６が圏外検出信号の出力を解除する。
【００４４】
つまり、第２カウンター３１がカウント中であっても、メインバッテリー１２が装填された場合又は電源スイッチ２１がオフからオンに戻された場合は切替手段２７が電源切替信号をスイッチ回路１５に出力し、スイッチ回路１５がサブバッテリー１３からメインバッテリー１２に切り替えられて制御部１８がメインバッテリー１２から供給される直流の電力で動作を継続するが、圏内に戻った場合は切替手段２７によるスイッチ回路１５の切り替えが行われることなく制御部１８がメインバッテリー１２から供給される直流の電力で動作を継続する。そして、計測手段２８が第２カウンター３１のカウント動作を停止した後に第２カウント値を初期化して「ゼロ」に戻し、収集手段２９が測位受信部４とマイク５とデジタルカメラ９と各種センサー１１とによるＲＡＭ２５への状況情報の収集を停止すると共にＲＡＭ２５を初期化し、携帯通信機器１が待受状態に戻る（図４のステップ１１６がＮＯ、ステップ１１７がＹＥＳ、ステップ１１８がＹＥＳ、ステップ１２０がＹＥＳの場合を参照）。
【００４５】
そして、図１において、第２カウンター３１の第２カウント値が第２設定値に達したことを計測手段２８が判定すると、計測手段２８が第２設定値到達信号を収集手段２９に出力し、収集手段２９が収集終了信号を測位受信部４とマイク５とデジタルカメラ９と各種センサー１１とに出力し、測位受信部４とマイク５とデジタルカメラ９と各種センサー１１とがＲＡＭ２５への状況情報の収集を停止し、収集手段２９が収集情報をＲＡＭ２５から不揮発性メモリー１０に格納した後にＲＡＭ２５を初期化する。また、第２カウント値が第２設定値に達したこと判定した計測手段２８が第２カウンター３１のカウント動作を停止した後に第２カウント値を初期化して「ゼロ」に戻して第３カウンター３２を動かす。これにより、第３カウンター３２がカウント動作を開始する（図４のステップ１１６がＹＥＳの場合を参照）。
【００４６】
さらに、図１において、第３カウント値が第３設定値に達していなければ、すなわち、第３カウンター３２がカウント中であっても、メインバッテリー１２が装填された場合は検出手段２６がバッテリー除去検出信号の出力を解除し、電源スイッチ２１がオフからオンに戻された場合は検出手段２６が電源スイッチオフ検出信号の出力を解除し、携帯通信機器１が圏外から圏内に位置した場合は検出手段２６が圏外検出信号の出力を解除する。つまり、第３カウンター３２がカウント中であっても、メインバッテリー１２が装填されかつ電源スイッチ２１がオフからオンに戻された場合は切替手段２７が電源切替信号をスイッチ回路１５に出力し、スイッチ回路１５がサブバッテリー１３からメインバッテリー１２に切り替えられて制御部１８がメインバッテリー１２から供給される直流の電力で動作を継続するが、圏内に戻った場合は切替手段２７によるスイッチ回路１５の切り替えが行われることなく制御部１８がメインバッテリー１２から供給される直流の電力で動作を継続する。そして、計測手段２８が第３カウンター３２のカウント動作を停止した後に第３カウント値を初期化して「ゼロ」に戻し、携帯通信機器１が待受状態に戻る（図５のステップ１２５がＮＯ、ステップ１２６がＹＥＳ、ステップ１２７がＹＥＳ、ステップ１２９がＹＥＳの場合を参照）。
【００４７】
そして、図１において、第３カウント値が第３設定値に達したことを計測手段２８が判定すると、計測手段２８が第３カウンター３２のカウント動作を停止した後に第３カウント値を初期化して「ゼロ」に戻して第２カウンター３１を動かす。これにより、第２カウンター３１がカウント動作を開始する。また、第３カウント値が第３設定値に達したことを判定すると計測手段２８が第３設定値到達信号を収集手段２９に出力し、収集手段２９が収集開始信号を測位受信部４とマイク５とデジタルカメラ９と各種センサー１１とに出力し、測位受信部４とマイク５とデジタルカメラ９と各種センサー１１とが第２設定値による次回の期間における状況情報の収集を開始すると共に収集した収集情報をＲＡＭ２５に記録する（図５のステップ１２５がＹＥＳの場合を参照）。
【００４８】
図１において、例えば、第１設定値が１０分、第２設定値が５分、第３設定値が２０分と設定されており、携帯通信機器１が待受状態になっている状態において、メインバッテリー１２が除去された場合又は電源スイッチ２１がオフになった場合又は圏外になった場合が第１設定値である１０分間継続しない場合は、測位受信部４とマイク５とデジタルカメラ９と各種センサー１１とが状況情報の収集を開始しない。また、メインバッテリー１２が除去された場合又は電源スイッチ２１がオフになった場合又は圏外になった場合が第１設定値である１０分間継続すると、状況情報として「緯度」「経度」「温度」「標高」「気圧」「重力」「振動回数」「傾き」「音声情報」「画像情報」を第２設定値である５分間収集してＲＡＭ２５に記録した後にその記録した収集情報をＲＡＭ２５から不揮発性メモリー１０に格納した後にさらにＲＡＭ２５を初期化する。さらに、上記収集情報が５分間収集された後、メインバッテリー１２が除去された場合又は電源スイッチ２１がオフになった場合又は圏外になった場合が第３設定値である２０分間継続している場合は、状況情報を第２設定値である５分間収集してＲＡＭ２５に記録した後にその記録した収集情報をＲＡＭ２５から不揮発性メモリー１０に格納した後にさらにＲＡＭ２５を初期化する。
【００４９】
次に、図６を参照し、不揮発性メモリー１０に格納された形態についてその一例を説明する。メインバッテリー１２が除去された場合又は電源スイッチ２１がオフになった場合が継続している場合には図１のサブバッテリー１３からの電力供給が続く間、或いは圏外の場合には図１のメインバッテリー１２からの電力供給が続く間において、例えば、２０１０年１月７日１５時００分から１５時５分までの期間に収集された収集情報が第１次として不揮発性メモリー１０に格納され、その２０分後の２０１０年１月７日１５時２５分から１５時３０分までの期間に収集された収集情報が第２次として不揮発性メモリー１０に格納される。さらに、メインバッテリー１２が除去された場合又は電源スイッチ２１がオフになった場合が継続している場合には図１のサブバッテリー１３からの電力供給が続く間、或いは圏外の場合には図１のメインバッテリー１２からの電力供給が続く間、２０分ごとに、第３次、第４次というように記憶される。このように収集情報が不揮発性メモリー１０に格納された状態において、当該不揮発性メモリー１０から収集情報を携帯通信機器１から出力することにより、例えば図６において、２０１０年１月１７日１５：００乃至１５：３０の携帯通信機器１の状況を把握することができる。
【００５０】
図１を参照し、不揮発性メモリー１０に格納された収集情報を携帯通信機器１の外部から読み出す場合について説明する。不揮発性メモリー１０が携帯容器２に着脱可能に設けられている場合には、例えば、携帯容器２から取り外した不揮発性メモリー１０を図外のアダプター機器に装着し、そのアダプター機器の出力端子、例えばＵＳＢ端子を図外のパソコンの入力端子、例えばＵＳＢ端子に接続するか、又は、携帯容器２から取り外した不揮発性メモリー１０を図外のパソコンの外部記憶装置を装着する端子、例えばメモリーカードスロットに装着するか、又は、不揮発性メモリー１０を携帯容器２から取り出すことなく外部端子１７を図外のパソコンの入力端子、例えばＵＳＢ端子にデータ線で接続した後、当該パソコンを人為的に操作して不揮発性メモリー１０から収集情報を当該パソコンのメモリーに書き込むと共に当該パソコンの出力機器で表示する。このパソコンの収集情報を表示する出力機器としては、パソコンに接続されたディスプレイ又はパソコンに接続されたプリンターのいずれでもよい。
【００５１】
また、遠隔地にある計測器などのデータを通信網で収集するテレメトリングを使用して携帯通信機器１の不揮発性メモリー１０から収集情報を読み出すことも可能である。その場合、携帯通信機器１と通信可能な無線基地局３４の通信網３６に接続されたテレメトリングを構成するホストコンピュータのような監視端末機器３７を人為的に操作することにより不揮発性メモリー１０から収集情報を読み出すことになる。よって、個人情報の漏洩を防止するセキュア通信方式で不揮発性メモリー１０から収集情報を読み出すようにすれば、パスワードか鍵情報を知る特定の人以外の人による携帯通信機器１の不揮発性メモリー１０に格納された収集情報の読み出しを禁止できる。つまり、ＳＳＬ（Secure Sockets Layer）のようなセキュア通信でスキミングを防止することであって、例えば、携帯通信機器１が監視端末機器３７から受信したパスワードか鍵情報の照合を行って一致しなければ収集情報を提供しないというような仕組みにより、不揮発性メモリー１０に格納された収集情報の読み出しを禁止できる。
【００５２】
図８を参照し、携帯通信機器１の機構的な構造ついて説明する。携帯容器２としてはフロントケース３８とリアケース３９と電池カバー４０とから構成されている。なお、図８において携帯通信機器１は折り畳みの不可能なストレートタイプを例示したが、折り畳み可能な折り畳みタイプであってもよい。フロントケース３８にはキーボード７、ディスプレイ８、表示開口４１、放音孔４２、集音孔４３が設けられる。キーボード７にはマイク５、電源端子１６、複数種のキー４４が実装される。複数種のキー４４はフロントケース３８に設けられた図外のキー開口に収容されてフロントケース３８の外部から操作可能になっている。複数種のキー４４としては置数キー、電源スイッチ２１、発信スイッチ、ファンクションキーなどである。リアケース３９には、回路収容部４５、電池開口４６、電源開口４７、被係合部４８、撮影孔４９、外部開口５０が設けられる。回路基板５１におけるフロントケース３８の側の面にはスピーカー６、回路端子５２、電気部品５３が実装される。スピーカー６は放音孔４２と対応する。電気部品５３としては図１の無線送受信部３、測位受信部４、制御部１８、スイッチ回路１５、充電回路１４、不揮発性メモリー１０、各種センサー１１である。
【００５３】
図８に戻り、回路基板５１におけるリアケース３９の側の面にはデジタルカメラ９、サブバッテリー１３、外部端子１７が設けられる。回路基板５１におけるリアケース３９の側の面がリアケース３９の回路収容部４５の側に向けられ、回路基板５１が回路収容部４５に実装されることにより、デジタルカメラ９のレンズが撮影孔４９に収容され、外部端子１７が外部開口５０と対応し、サブバッテリー１３が回路基板５１とリアケース３９との間に配置される。このように回路基板５１がリアケース３９に実装された後、回路基板５１におけるフロントケース３８の側の面とフロントケース３８のディスプレイ８とが互いに向き合わされ、フロントケース３８の周壁５４とリアケース３９の周壁５５とが互いに接合される。これにより、スピーカー６が放音孔４２と対応し、電源端子１６が電源開口４７に収容され、キーボード７と対向する部分には電池開口４６に通じる電池収容部５６（図７参照）が形成される。
【００５４】
そして、図８において、メインバッテリー１２がリアケース３９の外部から電池開口４６を経由して電池収容部５６（図７参照）に収容されると、メインバッテリー１２に設けられた回路端子５７が回路基板５１の回路端子５２と接続し、電源端子１６がキーボード７に設けられた図外の回路を介して回路基板５１の電気部品５３のうちの充電回路１４（図１参照）と接続する。その後、電池カバー４０が電池開口４６に装着され、電池カバー４０に設けられた係合部５９がリアケース３９の被係合部４８に嵌め込まれることにより、電池カバー４０が電池開口４６を塞ぐ。電池カバー４０が着脱可能になっているので、電池収容部５６（図７参照）はメインバッテリー１２を交換可能に収容する開閉可能な構造になっている。図８において、電源端子１６は回路基板５１に設けてもよい。
【００５５】
図７を参照し、メインバッテリー１２およびサブバッテリー１３がフロントケース３８とリアケース３９と電池カバー４０とからなる携帯容器２に格納された構造について説明する。電池収容部５６に収容されたメインバッテリー１２は電池カバー４０で覆われている。サブバッテリー１３は、回路基板５１とリアケース３９の間に配置されている。つまり、サブバッテリー１３が電池収容部５６に収容されたメインバッテリー１２と回路基板５１と携帯容器２とで囲まれる空間に設けられている。したがって、電池カバー４０及びメインバッテリー１２を除去しても、サブバッテリー１３を目視による確認をすることができない。そして、電池カバー４０およびメインバッテリー１２が除去されても、フロントケース３８の周壁５４とリアケース３９の周壁５５との接合を無理やりに解除しない限り、サブバッテリー１３はメインバッテリー１２およびサブバッテリーとからなる携帯容器２から除去できないようになっている。
【符号の説明】
【００５６】
１は携帯通信機器、２は携帯容器、３は無線送受信部、４は測位受信部、５はマイク、６はスピーカー、７はキーボード、８はディスプレイ、９はデジタルカメラ、１０は不揮発性メモリー、１１はセンサー、１２はメインバッテリー、１３はサブバッテリー、１４は充電回路、１５はスイッチ回路、１６は電源端子、１７は外部端子、１８は制御部、１９；２０はアンテナ、２１は電源スイッチ、２２は欠番、２３はＣＰＵ、２４はＲＯＭ、２５はＲＡＭ、２６は検出手段、２７は切替手段、２８は計測手段、２９は収集手段、３０は第１カウンター、３１は第２カウンター、３２は第３カウンター、３３は測位衛星、３４は無線基地局、３５はアンテナ、３６は通信網、３７は監視端末機器、３８はフロントケース、３９はリアケース、４０は電池カバー、４１は表示開口、４２は放音孔、４３は集音孔、４４はキー、４５は回路収容部、４６は電池開口、４７は電源開口、４８は被係合部、４９は撮影孔、５０は外部開口、５１は回路基板、５２は回路端子、５３は電気部品、５４は周壁、５５は周壁、５６は電池収容部、５７は回路端子、５８は欠番、５９は係合部、６０は欠番、６１は携帯通信機器、６２は無線基地局、６３は無線送受信部、６４は測位衛星、６５は測位受信部、６６は通信網、６７は管理センター、６８は宅内管理機。
【図１】
2011259088.tif 000003
【図２】
2011259088.tif 000004
【図３】
2011259088.tif 000005
【図４】
2011259088.tif 000006
【図５】
2011259088.tif 000007
【図６】
2011259088.tif 000008
【図７】
2011259088.tif 000009
【図８】
2011259088.tif 000010
【図９】
2011259088.tif 000011
【図１０】
2011259088.tif 000012